(57)【要約】【課題】上下２層間での剥離をコントロールするための剥離コートを必要としない液体と固体との分離用容器の蓋を提供する。【解決手段】液体と固体との分離用容器の蓋(１)は、外蓋(４)と内蓋(５)とが積層されてなるものである。外蓋(４)は、ポリエチレンテレフタレート層(６)の下面にアルミニウム箔(７)がポリウレタン系ドライラミネート接着剤で貼合わせられたものである。内蓋(５)は、外蓋(４)下面に弱く接合せられたポリエチレン層(８)と前記ポリエチレン層(８)の下面に接合されているポリエチレン系シーラントフイルム(９)とよりなり、内蓋(５)には、容器内容物である液体と固体の分離孔(１０)が複数あけられている。外蓋(４)には、外蓋引剥がし用摘み(１１)が設けられている。内蓋(５)には、内蓋引剥がし用摘み(１２)が設けられている。そして、外蓋(４)と内蓋(５)とのラミネート強度が１．４Ｎ/１５ｍｍとなされている。【選択図】    図２
2015131646.tif 000002
【特許請求の範囲】
【請求項１】
外蓋と内蓋とが積層されてなる蓋であって、内蓋が外蓋下面に弱く接合せられた１または複数のポリエチレン層と前記ポリエチレン層の下面に接合されているシーラントフイルムとよりなり、内蓋に容器内の液体と固体とを分離する分離孔が少なくとも１つあけられ、外蓋に外蓋引剥がし用摘みが一体に設けられるとともに内蓋に内蓋引剥がし用摘みが一体に設けられており、外蓋と内蓋とのラミネート強度が０.０５Ｎ/１５ｍｍ幅〜３.００Ｎ/１５ｍｍ幅である液体と固体との分離用容器の蓋。
【発明の詳細な説明】
【技術分野】
【０００１】
本発明は、液体と固体との分離用容器の蓋に関する。
【背景技術】
【０００２】
この明細書において、左右とは図１の左右をいい、前後とは図１の下上をいうものとする。また、分離孔は、その形状を問わないばかりではなく、U、V、Cのような切り込みも含まれるものとする。なぜなら、容器を下向けにした場合、切り込みの内側に内容物の重みが加わり、重みが加わった内側部分が垂れて孔が生じるからである。
【０００３】
上下２層よりなる蓋が容器の口縁フランジに熱封緘して密封され、開封したさい、蓋の下層が容器側に残り、これに容器内の液体と固体とを分離する分離孔が現れるものが、下記特許文献１および特許文献２に開示せられている。
【発明の概要】
【発明が解決しようとする課題】
【０００４】
ところが、上記特許文献に開示の蓋の場合、上下２層間での剥離を容易にするための剥離コートが必要となり一般的な蓋に比べコストアップとなっている。
【０００５】
本発明の目的は、上記のような問題がない液体と固体との分離用容器の蓋を提供するにある。
【課題を解決するための手段】
【０００６】
請求項１の発明による液体と固体との分離用容器の蓋は、外蓋と内蓋とが積層されてなり、内蓋が外蓋下面に弱く接合せられた１または複数のポリエチレン層と前記ポリエチレン層の下面に接合されているシーラントフイルムとよりなり、内蓋に容器内の液体と固体とを分離する分離孔が少なくとも１つあけられ、外蓋に外蓋引剥がし用摘みが一体に設けられるとともに内蓋に内蓋引剥がし用摘みが一体に設けられており、外蓋と内蓋とのラミネート強度が０.０５Ｎ/１５ｍｍ幅〜３.００Ｎ/１５ｍｍ幅であるものである。
【０００７】
上記ラミネート強度の上限を３.００Ｎ/１５ｍｍ幅に限定したのは、この値を超えると、外蓋が内蓋から離れ難くなり、上記ラミネート強度の下限を０.０５Ｎ/１５ｍｍ幅に限定したのは、この値未満であると、外蓋が内蓋から何らかの拍子で簡単に離れてしまうからである。上記ラミネート強度範囲のなかでもとくに０.１Ｎ/１５ｍｍ幅〜１.５Ｎ/１５ｍｍ幅であることが好ましい。
【発明の効果】
【０００８】
本発明による液体と固体との分離用容器の蓋は、外蓋と内蓋とが積層されてなり、内蓋が外蓋下面に弱く接合せられた１または複数のポリエチレン層と前記ポリエチレン層の下面に接合されているシーラントフイルムとよりなり、内蓋に容器内の液体と固体とを分離する分離孔が少なくとも１つあけられ、外蓋に外蓋引剥がし用摘みが一体に設けられるとともに内蓋に内蓋引剥がし用摘みが一体に設けられており、外蓋と内蓋とのラミネート強度が０.０５Ｎ/１５ｍｍ幅〜３.００Ｎ/１５ｍｍ幅であるものであるから、従来のような剥離コートが不必要となり、それだけ安価なものとなる。
【図面の簡単な説明】
【０００９】
【図１】本発明による蓋を容器に施した状態における平面図である。
【図２】図１のII−II線にそう拡大断面図である。
【図３】容器に施された蓋のうち外蓋を剥取った後の内蓋付き容器の平面図である。
【図４】図３のIV−IV線にそう拡大断面図である。
【発明を実施するための形態】
【００１０】
図１および図２は、本発明による蓋(１)を施した上縁にフランジ(２)を有するポリエチレン製コップ状容器(３)を示す。蓋(１)は、外蓋(４)と内蓋(５)とが積層されてなるものである。外蓋(４)は、ポリエチレンテレフタレート層(６)の下面にアルミニウム箔(７)がポリウレタン系ドライラミネート接着剤で貼合わせられたものである。内蓋(５)は、外蓋(４)下面に弱く接合せられたポリエチレン層(８)と前記ポリエチレン層(８)の下面に接合されているポリエチレン系シーラントフイルム(９)とよりなる。これはアルミニウム箔(７)とポリエチレン系シーラントフイルム(９)とをポリエチレン押出しによりラミネートしたものである。このさいアルミニウム箔(７)面にはアンカーコート剤を使用しない。内蓋(５)には図２および図３に示すように、容器(３)の左片方寄りに１５個の液体と固体の円形分離孔(１０)が前後方向に５個ずつ左右方向に３列あけられている。円形分離孔(１０)の直径は、１．０mm、円形分離孔(１０)相互の間隔は、５．０mmである。外蓋(４)の左右両側には、コップ状容器(３)のフランジ(２)を越える大きさの外蓋引剥がし用摘み(１１)が外蓋(４)と一体に設けられている。また、内蓋(５)の右側には、外蓋引剥がし用摘み(１１)と同じ大きさの内蓋引剥がし用摘み(１２)が内蓋(５)と一体に設けられており、内蓋(５)の左側には、内蓋引剥がし用摘み(１２)と同形の外方突出部(１３) が設けられており、かつこの外方突出部(１３)の基部には、フランジ(２)の外縁に沿う分離用切込み(１４)が下側からいれられている。そして、外蓋(４)と内蓋(５)とのラミネート強度が１．４Ｎ/１５ｍｍとなされている。ここで用いられるシーラントフィル(９)のシール強度は、１０〜１５Ｎ／１５mm程度が好ましい。これより弱いと、シーラントフイルム(９)とコップ状容器(３)間で一度に開いてしまい、これより強いと、逆に開き難くなるからである。
【００１１】
コップ状容器(３)内の固形物と液体とを分離するには、コップ状容器(３)に熱封緘されている蓋(１)の外蓋引剥がし用摘み(１１)と内蓋(５)の外方突出部(１３)とを一緒に手で掴んで外蓋(４)を図１の矢印方向に斜め上方に引っ張る。すると、外蓋(４) は内蓋(５)から引剥がされるが、このさい内蓋(５)にある分離用切込み(１４)の存在により、内蓋(５)のこれより外方向部分のみが外蓋(４)と一体となってコップ状容器(３)から除かれる。分離用切込み(１４)は、内蓋(５)から外蓋(４)を開けるさい、内蓋(５)から外蓋(４)が容易に剥離するためのきっかけ用であるが、これは必ずしも必要ではない。分離用切込み(１４)がない場合、内蓋引剥がし用摘み(１２)と外方突出部(１３)を持って図１の矢印方向に斜め上方向に引き上げると、内蓋(５)がフランジ(２)の外縁に沿って破断し、内蓋(５)と容器(３)のシール強度よりも強度の低い外蓋(４) と内蓋(５)との間から開封することができる。その結果、図３および図４に示されているように、コップ状容器(３)は内蓋(５)のみにより口が塞がれた状態となり、内蓋(５)の容器内容物である液体と固体とを分離するための分離孔(１０)が露出する。コップ状容器(３)を逆様にすると、容器内容物分離孔(９)を通してコップ状容器(３)内の液体が外に流出し、コップ状容器(３)内に固形物を残すことができる。固形物と液体の例としては、豆腐とその水分、ヨーグルトの脂肪分と乳清を挙げることができる。
【００１２】
いま、上記蓋(１)をポリエチレン製コップ状容器(３)に１８０゜Ｃ、０．５ＭPａ、１秒間の条件でヒートシールし、これを検体として下記の評価試験を行った。また、ポリエチレン製コップ状容器(３)は、ＬＬＤＰＥとＨＤＰＥをブレンドし射出成型したものを用いた。なお、上記蓋(１)は、表面にポリエチレンがラミネートされた紙容器にも使用できる。
【００１３】
(１)開封強度
蓋(１)をポリエチレン製コップ状容器(３)にヒートシールした検体を開封し、
１度目の開封時(外蓋(４) と内蓋(５)間)の強度および２度目の開封時(内蓋(５)と容器(３)間)の強度とを測定した。
【００１４】
(２)分離孔発現性
蓋(１)をポリエチレン製コップ状容器(３)ヒートシールした検体を開封し、
容器(３)側に残った内蓋(５)に分離孔(１０)が発現しているかどうかを目視にて確認した。
【００１５】
上記評価試験の結果を下表に示す。
2015131646.tif 000003
【符号の説明】
【００１６】
(１)  蓋
(４)  外蓋
(５)  内蓋
(８)  ポリエチレン層
(９)  シーラントフィルム
(１０)  分離孔
(１１)  外蓋引剥がし用摘み
(１２)  内蓋引剥がし用摘み
【図１】
2015131646.tif 000004
【図２】
2015131646.tif 000005
【図３】
2015131646.tif 000006
【図４】
2015131646.tif 000007
【手続補正書】
【提出日】平成26年1月16日(2014.1.16)
【手続補正１】
【補正対象書類名】明細書
【補正対象項目名】００１０
【補正方法】変更
【補正の内容】
【００１０】
図１および図２は、本発明による蓋(１)を施した上縁にフランジ(２)を有するポリエチレン製コップ状容器(３)を示す。蓋(１)は、外蓋(４)と内蓋(５)とが積層されてなるものである。外蓋(４)は、ポリエチレンテレフタレート層(６)の下面にアルミニウム箔(７)がポリウレタン系ドライラミネート接着剤で貼合わせられたものである。内蓋(５)は、外蓋(４)下面に弱く接合せられたポリエチレン層(８)と前記ポリエチレン層(８)の下面に接合されているポリエチレン系シーラントフイルム(９)とよりなる。これはアルミニウム箔(７)とポリエチレン系シーラントフイルム(９)とをポリエチレン押出しによりラミネートしたものである。このさいアルミニウム箔(７)面にはアンカーコート剤を使用しない。内蓋(５)には図２および図３に示すように、容器(３)の左片方寄りに１５個の液体と固体の円形分離孔(１０)が前後方向に５個ずつ左右方向に３列あけられている。円形分離孔(１０)の直径は、１．０mm、円形分離孔(１０)相互の間隔は、５．０mmである。外蓋(４)の左右両側には、コップ状容器(３)のフランジ(２)を越える大きさの外蓋引剥がし用摘み(１１)が外蓋(４)と一体に設けられている。また、内蓋(５)の右側には、外蓋引剥がし用摘み(１１)と同じ大きさの内蓋引剥がし用摘み(１２)が内蓋(５)と一体に設けられており、内蓋(５)の左側には、内蓋引剥がし用摘み(１２)と同形の外方突出部(１３) が設けられており、かつこの外方突出部(１３)の基部には、フランジ(２)の外縁に沿う分離用切込み(１４)が下側からいれられている。そして、外蓋(４)と内蓋(５)とのラミネート強度が１．４Ｎ/１５ｍｍとなされている。ここで用いられるシーラントフィルム(９)のシール強度は、１０〜１５Ｎ／１５mm程度が好ましい。これより弱いと、シーラントフイルム(９)とコップ状容器(３)間で一度に開いてしまい、これより強いと、逆に開き難くなるからである。